(57)【要約】      （修正有）【課題】    一人の客が複数の購入希望商品を複数のレシートに分けて会計したい場合に、分けるレシートの数分だけ決済処理作業を行わなければならないという煩わしさを回避する。【解決手段】  ＰＯＳ端末は、業務用と個人用の仮締め処理が終了した後に両仮締めの商品合計金額を足した全体合計金額の提示を行い（処理ステップＳ１，Ｓ２）、入力預かり金額に基づいて商品全体の会計が合うように業務用と個人用それぞれの預かり金額および釣り金額を算出する最終締め処理を実行する（処理ステップＳ３，Ｓ４）。また、最終締め処理で算出した預かり金額および釣り金額を印字した業務会計用のレシートと個人会計用のレシートの発行処理を実行する（処理ステップＳ５）。【選択図】    図３
2006330841.tif 000002
【特許請求の範囲】
【請求項１】
商品データを入力する入力装置と、
レシートプリンタと、
前記入力装置で入力される商品データによって特定される商品を複数のグループに指定する指定手段と、
前記指定手段により指定されたグループごとのレシートを前記レシートプリンタで発行する処理を含む決済処理を実行する処理手段と、
を備える商品販売データ処理装置。
【請求項２】
前記処理手段は、預かり金額値に応じて、複数のグループ間で決済に係わる預かり金額値および釣り金額値を調整して現金による全体決済を整合させる決済処理を実行する請求項１記載の商品販売データ処理装置。
【請求項３】
商品データを入力する入力装置と、レシートプリンタと、を備える商品販売データ処理装置が有するコンピュータで解釈され、当該コンピュータに、
前記入力装置で入力される商品データによって特定される商品を複数のグループに指定する指定手順と、
前記指定手順により指定されたグループごとのレシートを前記レシートプリンタで発行する処理を含む決済処理を実行する処理手順と、
を実行させる処理プログラム。
【請求項４】
前記処理手順は、預かり金額値に応じて、複数のグループ間で決済に係わる預かり金額値および釣り金額値を調整して現金による全体決済を整合させる決済処理を実行する請求項３記載の処理プログラム。
【発明の詳細な説明】
【技術分野】
【０００１】
本発明は、コンビニエンスストアやスーパーマーケット等の商品流通業界で使用されるＥＣＲ（電子キャッシュレジスタ）やＰＯＳ（販売時点情報管理）端末等の商品販売データ処理装置および処理プログラムに関する。
【背景技術】
【０００２】
従来、スーパーマーケットなどのお店においては、例えば、図７に示すように、レジにおいて、複数の商品を業務用と個人用とに分けて個別に会計してもらい、業務用と個人用の複数のレシートを受け取りたいという客Ｓｒがいる。
【０００３】
この場合、従来では、レジにおいて、レジ係（キャッシャーともいう）Ｃｒが業務用と個人用とに商品を分けて、ＰＯＳ端末（例えば、特許文献１と特許文献２参照）１０を用いてそれぞれ別個に決済処理を行うようにしている（図８及び図９参照）。すなわち、従来では、預かりおよび釣銭の受け渡し処理を含む決済処理作業を計２回行っている。
【０００４】
【特許文献１】特開平１１−１８５１６６号公報
【特許文献２】特開２００１−１４５５３号公報
【発明の開示】
【発明が解決しようとする課題】
【０００５】
上述の如く、従来では、一人の客で複数の購入希望商品を複数のレシートに分けて会計したい場合、分けるレシートの数分だけ上述の決済処理作業を行わなければならないという煩わしさがあり、手間と時間がかかるものとなっていた。
【０００６】
なお、特許文献１の従来技術にあっては、レストランなどで複数人のグループで食事をして個別に支払いを済ませたい場合において、各人ごとに預かりおよび釣銭の受け渡し処理をし、最終的に全員分のレシートをミシン目付きの連なった状態のレシートとして発行するものであり、一人の客が複数の個別会計をしてもらって複数のレシートを受け取るものではない。
【０００７】
また、特許文献２の従来技術にあっては、買廻りサービスとして百貨店などで販売員が上得意客に付いて各売場を廻り、買い物を終了した時点で売場ごとに買上げた商品を一括決済して全商品で会計をした全体会計のレシートを発行するものであり、その一括決済時には、全商品を会計した一枚のレシートを発行するものであり、この従来技術も、一人の客が複数の個別会計をしてもらって複数のレシートを受け取るものではない。
【０００８】
なお、前述した不都合は、現金による決済処理を採用するＰＯＳ端末で発生するように述べたが、これ以外に、デビットカードや、電子マネーを記録したカード等の貨幣価値を関連付けられたカードによる決済処理を採用する従来のＰＯＳ端末においても前述と略同様の不都合が発生する。すなわち、一人の客で複数の購入希望商品を複数のレシートに分けて会計したい場合、分けるレシートの数分だけカードの受け渡し処理を含む決済処理作業を行わなければならないという煩わしさがあり、手間と時間がかかるものとなっていた。
【０００９】
本発明の目的は、一人の客が複数の購入希望商品を複数のレシートに分けて会計したい場合に、分けるレシートの数分だけ決済処理作業を行わなければならないという煩わしさを回避することである。
【課題を解決するための手段】
【００１０】
本発明の商品販売データ処理装置は、商品データを入力する入力装置と、レシートプリンタと、前記入力装置で入力される商品データによって特定される商品を複数のグループに指定する指定手段と、前記指定手段により指定された複数のグループごとのレシートを前記レシートプリンタで発行する処理を含む決済処理を実行する処理手段と、を備える。
【００１１】
本発明の処理プログラムは、商品データを入力する入力装置と、レシートプリンタと、を備える商品販売データ処理装置が有するコンピュータで解釈され、当該コンピュータに、前記入力装置で入力される商品データによって特定される商品を複数のグループに指定する指定手順と、前記指定手順により指定された複数のグループごとのレシートを前記レシートプリンタで発行する処理を含む決済処理を実行する処理手順と、を実行させる。
【発明の効果】
【００１２】
本発明によれば、一人の客が複数の購入希望商品を複数のレシートに分けて会計したい場合に１回の決済処理作業で会計を済ませ、領収機能を有する複数のレシートを発行することができるので、レシートを分けて会計する場合の手間と時間を短縮することができる。
【発明を実施するための最良の形態】
【００１３】
以下、本発明の一実施の形態について図１乃至図６を用いて説明する。なお、本実施の形態では、コンビニエンスストアやスーパーマーケット等の商品流通業界で使用されるＰＯＳ端末に適用した場合を例にしている。
【００１４】
図１は、ＰＯＳ端末１００の外観を示す斜視図である。
【００１５】
図１に示すように、ＰＯＳ端末１００は、貨幣を収納するドロワ１０１の上に載置されている。ＰＯＳ端末１００は、ハウジング１０２を備え、ハウジング１０２の上面には、オペレータ面表示器１０３ａと客面表示器１０３ｂを含む表示器１０３と、キーボード１０４と、レシート発行口１０５ａとが配置されている。オペレータ面表示器１０３ａにはタッチパネルが積層して設けられている。さらに、ＰＯＳ端末１００には、商品コードを光学的に読み取るためのバーコードスキャナ１０６が接続されている。オペレータから見てオペレータ面表示器１０３ａが正面に、キーボード１０４はオペレータ面表示器１０３ａの下方に、レシート発行口１０５ａはオペレータ面表示器１０３ａの左方にそれぞれ配置され、オペレータが操作し易いようにまとめられている。また客面表示器１０３ｂはオペレータ面表示器１０３ａよりも高い位置に設けられ、客に見やすいように配置されている。
【００１６】
キーボード１０４には、同図１の拡大図に示すような［テン］キー１０４ａ、［小計／＋］キー１０４ｂ、［預／現計］キー１０４ｃが備わっている。
【００１７】
［テン］キー１０４ａは、例えば、客の預かり金額を入力するためのキーである。［小計／＋］キー１０４ｂは、売上登録業務において売上合計金額の算出を宣言するためのキーであるとともに、本実施の形態においては、１回の決済処理作業で複数の個別会計を行うことを宣言する仮締め処理用キーも兼ねている。［預／現計］キー１０４ｃは、売上登録業務において現金取引による締めを宣言するためのキーである。
【００１８】
図２は、ＰＯＳ端末１００の内部システム構成を示すブロック図である。
【００１９】
図２に示すように、ＰＯＳ端末１００は、図示しないメイン基板上にマイクロコンピュータ１０７を備え、このマイクロコンピュータ１０７が各部を駆動制御する。マイクロコンピュータ１０７は、各部を集中的に制御するＣＰＵ１０７ａに、ＲＯＭ１０７ｂとＲＡＭ１０７ｃがバスライン１０７ｄを介してバス接続されて構成されている。ＲＡＭ１０７ｃは揮発性メモリであるので、バックアップ電源であるバッテリＢＴによってバックアップされている。ＲＯＭ１０７ｂには、制御プログラム等の固定的データがあらかじめ格納してある。
【００２０】
本実施の形態では、ＲＯＭ１０７ｂに、本発明の特徴とする後述する図３に示す処理手順を実行するための処理プログラム１０７ｂ−１が格納されている。ＲＡＭ１０７ｃには、売上データが記憶され、設定データもＲＡＭ１０７ｃに記憶される。
【００２１】
このように構成されたマイクロコンピュータ１０７には、ドロワ制御部１０７ｅを介してドロワ１０１が接続され、表示制御部１０７ｆを介して表示器１０３が接続され、キーボード入力制御部１０７ｇを介してキーボード１０４が接続され、レシートプリンタ１０５がプリンタ制御部１０７ｈを介して接続され、バーコードスキャナ１０６がバーコードスキャナ制御部１０７ｉを介して接続されている。
【００２２】
さらに、メイン基板上には、バスライン１０７ｄを介してストアコントローラやホストコントローラ等の上位装置Ｈと通信を行うための通信Ｉ／Ｆ１０７ｊが設けられている。
【００２３】
ＰＯＳ端末１００は、外部から供給される商用電源などによって駆動される。
【００２４】
次に、前述した構成のＰＯＳ端末１００における処理手順として、１回の決済処理作業で複数の個別会計に分けた複数レシートを発行する処理手順について図３に基づいて説明する。
【００２５】
図３は、１回の決済処理作業で複数の個別会計に分けた複数レシートを発行する処理手順を示すフローチャートである。
【００２６】
なお、以下の説明では、例えば、スーパーマーケットのレジにおいて、客Ｓｒが現金決済により、複数の購入希望商品を業務用と個人用に分けて個別会計してもらい、業務用と個人用の複数のレシートを受け取りたい場合を例にして説明する。
【００２７】
（処理ステップＳ１）
図３において、まず、客Ｓｒがレジ係Ｃｒに対して、複数の購入希望商品（商品「セメント」Ｃ１、商品「木材」Ｃ２、商品「ティッシュ」Ｃ３、商品「ペットフード」Ｃ４）のうち、商品「セメント」Ｃ１と商品「木材」Ｃ２を業務用会計とし、商品「ティッシュ」Ｃ３と商品「ペットフード」Ｃ４を個人用会計とする複数個別会計をお願いする［図４の（Ａ）参照］。
【００２８】
これに対応して、まず、レジ係Ｃｒは、業務用会計する商品の仮締め作業を行う。
【００２９】
すなわち、レジ係Ｃｒは、ＰＯＳ端末１００に備わるバーコードスキャナ１０６によって業務用として会計する商品「セメント」Ｃ１に付与されているバーコードの読み取り作業を行う。すると、ＰＯＳ端末１００では、マイクロコンピュータ１０７のＣＰＵ１０７ａの制御のもと読み取った商品コードに基づき該当する商品名および単価（売価）データを取得処理し、オペレータ用表示器１０３ａの登録画面に取得した商品名および単価（売価）を示す文字情報（この例では、商品名として「セメント」、単価として「￥２，０００」）を表示処理する［図４の（Ｂ）参照。なお、ここでは、画面下の「木材  ￥５，０００」は表示されていない。］。
【００３０】
同様に、レジ係Ｃｒが、バーコードスキャナ１０６によって業務用として会計する商品「木材」Ｃ２に付与されているバーコードの読み取り作業を行う。すると、ＰＯＳ端末１００では、マイクロコンピュータ１０７のＣＰＵ１０７ａの制御のもと読み取った商品コードに基づき商品名および単価（売価）データを取得処理し、オペレータ用表示器１０３ａの登録画面に取得した商品名および単価（売価）を示す文字情報（この例では、商品名として「木材」、単価として「￥５，０００」）を表示処理する［図４の（Ｂ）参照］。
【００３１】
そして、業務用として会計する全ての商品のコード読み取りが終了した後に、レジ係Ｃｒは、その業務用として会計する商品を一旦仮締めして他の個別会計を行うために、キーボード１０４に備わる［小計／＋］キー１０４ｂを２回押下する［図４の（Ｃ）参照］。すると、ＰＯＳ端末１００では、マイクロコンピュータ１０７のＣＰＵ１０７ａの制御のもと業務用として会計する商品の商品コードおよび販売個数情報からなる売上データをＲＡＭ１０７ｃに記憶処理し、オペレータ用表示器１０３ａの表示を現在の登録画面から次の個別会計を行う登録画面に切り替え処理する。なお、ここでの処理により、業務用会計レシートを発行するための業務用の商品群を指定したことになる。
【００３２】
次に、レジ係Ｃｒは、個人用会計する商品の仮締め作業を行う。
【００３３】
すなわち、レジ係Ｃｒは、ＰＯＳ端末１００に備わるバーコードスキャナ１０６によって個人用として会計する商品「ティッシュ」Ｃ３に付与されているバーコードの読み取り作業を行う。すると、ＰＯＳ端末１００では、マイクロコンピュータ１０７のＣＰＵ１０７ａの制御のもと読み取った商品コードに基づき商品名および単価（売価）データを取得処理し、オペレータ用表示器１０３ａの登録画面に取得した商品名および単価（売価）を示す文字情報（この例では、商品名として「ティッシュ」、単価として「￥５００」）を表示処理する［図４の（Ｄ）参照。なお、ここでは、画面下の「ペットフード  ￥１，５００」は表示されていない。］。
【００３４】
同様に、レジ係Ｃｒが、バーコードスキャナ１０６によって個人用として会計する商品「ペットフード」Ｃ４に付与されているバーコードの読み取り作業を行う。すると、ＰＯＳ端末１００では、マイクロコンピュータ１０７のＣＰＵ１０７ａの制御のもと読み取った商品コードに基づき商品名および単価（売価）データを取得処理し、ＰＯＳ端末１００が、オペレータ用表示器１０３ａの登録画面に取得した商品名および単価（売価）を示す文字情報（この例では、商品名として「ペットフード」、単価として「￥１，５００」）を表示処理する［図４の（Ｄ）参照］。
【００３５】
（処理ステップＳ２）
そして、個人用として会計する全ての商品のコード読み取りが終了した後に、レジ係Ｃｒは、個別会計ごとの仮締めが全て終了したので、全商品の合計金額を客に提示して決済処理を行うために、キーボード１０４に備わる［小計／＋］キー１０４ｂを１回押下する［図４の（Ｅ）参照］。
【００３６】
これにより、ＰＯＳ端末１００では、マイクロコンピュータ１０７のＣＰＵ１０７ａの制御のもと個人用として会計する商品の商品コードおよび販売個数情報からなる売上データをＲＡＭ１０７ｃに記憶処理し、全商品の合計金額を算出して、客用表示器１０３ｂに合計金額を示す文字及び数字情報（この例では、「合計  ９，０００円」）を表示処理する［図４の（Ｆ）参照］。なお、ここでの処理により、個人用会計レシートを発行するための個人用の商品群を指定したことになる。
【００３７】
（処理ステップＳ３）
これに応じて、客Ｓｒが代金を支払う［図５の（Ｇ）参照］。この例では、客Ｓｒが「１万円札」をレジ係Ｃｒに手渡している。
【００３８】
すると、レジ係Ｃｒは、キーボード１０４に備わるテンキー１０４ａなどを用いて客Ｓｒより預かった預かり金額（￥１０，０００）を入力する［図５の（Ｈ）参照］。
（処理ステップＳ４）
その後、レジ係Ｃｒは、決済処理を行うために、キーボード１０４に備わる［預／現計］キー１０４ｃを押下する［図５の（Ｉ）参照］。
【００３９】
すなわち、［預／現計］キー１０４ｃが押下されると、ＰＯＳ端末１００では、マイクロコンピュータ１０７のＣＰＵ１０７ａの制御のもと前処理で入力した預り額に基づき、複数の個別会計ごとの預り金額および釣銭金額を計算する。
【００４０】
この例では、現金による決済処理形態を採っているので、例えば、１回の決済処理作業で複数の個別会計に分けた複数レシートを発行する際、ＰＯＳ端末１００では、全商品の合計金額の提示に応じて入力した預かり金額（実際に客から受け取った現金に相当する金額）に基づいて複数の個別会計間（この例では、業務用会計と個人用会計との間）でお預かりおよびお釣りの金額を調整して最終会計の帳尻を合わせる計算処理を実行する。
【００４１】
例えば、最終会計の帳尻を合わせる計算処理として、釣銭をゼロとする釣銭ゼロレシートの預かり額を該釣銭ゼロレシートの合計金額（税金が掛かる場合には税込金額）と同金額とし、該釣銭ゼロシートの釣り金額を０にする。そして、上記釣銭ゼロレシート以外の残りレシートの預かり金額を、実際に客より預かった預かり金額に相当する入力預かり金額より釣銭ゼロレシートの合計金額を差し引いた差引預かり金額にし、該残りレシートの釣り金額を上記差引預かり金額から該残りレシートの合計金額を差し引いた釣り金額にする計算処理を行う。
【００４２】
ここでの例では、業務用会計対象商品の会計において、釣銭ゼロレシートにすべく、業務用商品の会計のお預かり金額を合計金額（￥７，０００）と同金額（￥７，０００）とするとともに、お釣り金額を０にする。また、個人用会計対象商品の会計において、最終会計の帳尻を合わせるために、お預かり金額を入力した預かり金額（￥１０，０００）より業務用会計対象商品の合計金額（￥７，０００）を差し引いた預かり差引金額（￥３，０００）にするとともに、お釣り金額を上記預かり差引金額（￥３，０００）から個人用会計対象商品の合計金額（￥２，０００）を差し引いたお釣り金額（￥１，０００）にする計算処理を行う。
【００４３】
なお、現金による決済処理作業以外の計算処理については後で詳述する。
（処理ステップＳ５）
その後、ＰＯＳ端末１００では、マイクロコンピュータ１０７のＣＰＵ１０７ａの制御のもと前述の計算結果に基づいた預り金額、釣銭金額を印字した個別会計ごとの複数のレシートＲ（レシートＲ３とレシートＲ４）をレシートプリンタ１０５により発行処理する［図５の（Ｊ）参照］。例えば、図６に示すような業務用会計のレシートＲ３と個人用会計のレシートＲ４がレシート発行口１０５ａから発行される。
【００４４】
この例では、最初に、合計金額として「￥７，０００」（図６の符号Ｒ３−１参照）を、預かり金額として合計金額と同額の「￥７，０００」（図６の符号Ｒ３−２参照）を、お釣り金額として「￥０」（図６の符号Ｒ３−３参照）を、レシート通し一連番号として「Ｎｏ．０９９９」（図６の符号Ｒ３−４参照）を印字したレシートＲ３（釣銭ゼロレシート）を発行している。その後、続けて、合計金額として「￥２，０００」（図６の符号Ｒ４−１参照）を、預かり金額として、客Ｓｒから実際に預かった金額「￥１０，０００」からレシートＲ３の合計金額「￥７，０００」を差し引いた差引き金額「￥３，０００」（図６の符号Ｒ４−２参照）を、お釣り金額として、前述の差引き金額「￥３，０００」から合計金額「￥２，０００」を差し引いた金額「￥１，０００」（図６の符号Ｒ４−３参照）を、レシート通し一連番号として「Ｎｏ．１０００」（図６の符号Ｒ４−４参照）を印字したレシートＲ４を発行している。
【００４５】
そして、レジ係Ｃｒが、発行されたレシートＲ３およびレシートＲ４と、お釣り（この例では、１，０００円）を客Ｓｒに手渡すことによりここでの処理が終了する。
【００４６】
前述の処理において、処理ステップＳ４および処理ステップＳ５の処理が終了すると、ＰＯＳ端末１００では、マイクロコンピュータ１０７のＣＰＵ１０７ａの制御のもとＲＡＭ１０７ｃに記憶しておいた仮締め処理時の売上データ（この例では、業務用会計した商品の売上データと個人用会計した商品の売上データ）を会計済みの売上データとしてＲＡＭ１０７ｃに記憶保持処理する。なお、この売上データと同じ内容のデータが、例えば、一日の営業終了後といったタイミングでストアコントローラやホストコンピュータ等の上位装置Ｈに転送される。
【００４７】
以上説明した処理によれば、一人の客が複数の購入希望商品を複数のレシートに分けて会計したい場合に１回の決済処理作業で会計を済ませ、領収機能を有する複数のレシートを発行することができるので、レシートを分けて会計する場合の手間と時間を大幅に短縮することができる。言い換えると、客と店側両者の負担を軽減でき、効率的な会計処理を行うことができる。
【００４８】
なお、前述の実施例では、１回の決済処理作業で複数の個別会計を行う場合の仮締めを指示する場合に用いるキーとして、従来この種のＰＯＳ端末で汎用的に用いられている［小計／＋］キーに、図１の拡大図に示すような「小計／＋（仮締め時２度押し）」などのシールを貼ることで対応する形態を示したが、これに限らず、例えば、仮締めを宣言する専用キーを新たに設けるようにしても良い。
【００４９】
また、前述の実施例では、［小計／＋］キーを２度押しした場合に、仮締めが宣言されたと判断する形態を示しているが、これ以外に、例えば、［小計／＋］キーが長押しされた場合に仮締めが宣言されたと判断するようにしても良い。
【００５０】
すなわち、予め割り当てられた仮締めを指示するための特定キーの所定の入力が行われた場合に、仮締めが指示されたと判断するように処理プログラムを設定する。
【００５１】
また、前述した実施例では、図３に示す処理手順の処理ステップＳ４の計算処理において、釣銭ゼロレシートを作成するための計算処理を行うことで、図６に示すような釣銭ゼロレシートＲ３と釣銭がゼロでない残りのレシートＲ４とを発行する形態について示したが、これに限らず、例えば、釣銭ゼロレシートを作成せずに、個別会計間でお釣り金額を分けるように計算処理しても良い。
【００５２】
また、前述の実施例では、現金によって支払いを行う形態を採るＰＯＳ端末について示したが、これに限らず、例えば、デビットカードや、電子マネーを記録したカード等の貨幣価値を関連付けられたカードのデータを読み取る読取手段を有し、その読取手段で読み取ったカードのデータに基づき決済処理を行うことができるＰＯＳ端末に適用しても良いものとする。
【００５３】
その場合には、前述の図３に示す処理手順の処理ステップＳ１の複数の個別会計ごとの仮締め処理を終了して処理ステップＳ２の全ての仮締めの合計金額を足した全体合計金額の提示処理した後に、処理ステップＳ３において、客から預かったカードに基づき当該提示額に相当する貨幣価値を取得する決済処理を行う。その後、処理ステップＳ４において、個別会計ごとに、預かり金額を合計金額と同額とするとともに、お釣り金額を０とする計算処理を行う。
【００５４】
このような処理により、貨幣価値を関連付けられたカードによる支払い形態においても、１回の決済処理作業で複数の個別会計に分けた複数レシートを発行することができる。なお、このようなカードによる支払い形態においては、レシートに釣銭印字をしなくても良い。
【００５５】
また、前述の実施例では、複数のレシートを発行する処理の例として、業務用商品と個人用商品とに分けた個別会計を行って２つのレシートを発行する場合を例に示したが、これに限らず、３つ、４つ、…という具合に２つ以上の個別会計を行って、３つ、４つ、それ以上のレシートを発行する場合にも対応することができる。
【００５６】
なお、２つ以上の個別会計する場合、前述の図４の（Ｃ）に示す仮締め宣言作業（［小計／＋］キー１０４ｂの２回押下作業）が個別会計の数に応じて増える。すなわち、レジ係Ｃｒは、個別会計する残りのグループの商品仮締め作業（商品コードの読取作業）に移行する度に、仮締め宣言作業｛図４の（Ｃ）｝を行う。
【００５７】
例えば、３つのグループに分けた個別会計処理を行って３つのレシートを発行する場合、レジ係Ｃｒは、１つ目のグループの商品仮締め作業（商品コードの読取作業）を行った後に、仮締め宣言作業｛図４の（Ｃ）｝を行う。その後、レジ係Ｃｒは、２つ目のグループの商品仮締め作業（商品コードの読取作業）を行った後に、再度、仮締め宣言作業｛図４の（Ｃ）｝を行う。その後、レジ係Ｃｒは、３つ目のグループの商品仮締め作業（商品コードの読取作業）を行い、その後、前述の図４の（Ｅ）に示す合計金額の算出作業｛図４の（Ｃ）｝へと移行する。
【図面の簡単な説明】
【００５８】
【図１】本実施の形態のＰＯＳ端末の外観を示す斜視図である。
【図２】本実施の形態のＰＯＳ端末の内部システム構成を示すブロック図である。
【図３】本実施の形態のＰＯＳ端末の処理手順を示すフローチャートである。
【図４】レジ係と客間の処理の流れを示す模式図である。
【図５】レジ係と客間の処理の流れを示す模式図である。
【図６】本実施の形態のＰＯＳ端末が発行するレシート構成を示す模式図である。
【図７】従来のレジ係と客間の処理の流れを示す模式図である。
【図８】従来装置が発行するレシートの構成を示す模式図である。
【図９】従来装置が発行するレシートの構成を示す模式図である。
【符号の説明】
【００５９】
１００…ＰＯＳ端末，１０１…ドロワ，１０２…ハウジング，１０３…表示器，１０３ａ…オペレータ面表示器，１０３ｂ…客面表示器，１０４…キーボード，１０４ａ…［テン］キー，１０４ｂ…［小計／＋］キー，１０４ｃ…［預／現計］キー，１０５…レシートプリンタ，１０５ａ…レシート発行口，１０６…バーコードスキャナ，１０７…マイクロコンピュータ，１０７ａ…ＣＰＵ，１０７ｂ…ＲＯＭ，１０７ｂ−１…処理プログラム，１０７ｃ…ＲＡＭ，１０７ｄ…システムバス，１０７ｅ…ドロワ制御部，１０７ｆ…表示制御部，１０７ｇ…キーボード入力制御部，１０７ｈ…プリンタ制御部，１０７ｉ…バーコードスキャナ制御部，１０７ｊ…通信Ｉ／Ｆ，Ｈ…上位装置，Ｒ（Ｒ３，Ｒ４）…レシート，Ｃ…商品
【図１】
2006330841.tif 000003
【図２】
2006330841.tif 000004
【図３】
2006330841.tif 000005
【図４】
2006330841.tif 000006
【図５】
2006330841.tif 000007
【図６】
2006330841.tif 000008
【図７】
2006330841.tif 000009
【図８】
2006330841.tif 000010
【図９】
2006330841.tif 000011